(57)【要約】【課題】  部品の無駄がなく、経済性，携帯性に優れた使い勝手のよい携帯電話を提供する。【解決手段】  プロジェクタ３０を外部接続端子２２に接続すると、表示制御部５２により、ディスプレイ１２の代わりに（あるいはディスプレイ１２とともに）プロジェクタ３０に画像信号が出力され、プロジェクタ３０によって適宜のスクリーン（図示せず）上にテキスト，写真，絵などの画像が表示される。このとき、表示制御部５２によってディスプレイ１２に供給される画像信号と、プロジェクタ３０に供給される画像信号は、必ずしも一致せず、必要に応じて画像が反転した信号となるように、表示制御部５２による処理が行われる。【選択図】図１
2005051600.tif 000002
【特許請求の範囲】
【請求項１】
画像を表示するためのディスプレイと、このディスプレイに表示用データに基づいて画像信号を供給する表示制御手段を備えた携帯電話において、
携帯電話本体に着脱自在に設けられ、前記ディスプレイに表示される画像を外部に投影するためのプロジェクタを備えており、
前記表示制御手段が、前記プロジェクタに対して画像信号を供給することを特徴とする携帯電話。
【請求項２】
画像を表示するためのディスプレイと、このディスプレイに表示用データに基づいて画像信号を供給する表示制御手段を備えた携帯電話において、
前記ディスプレイと交換して携帯電話本体に着脱自在に取り付けられ、前記ディスプレイに表示される画像を外部に投影するためのプロジェクタを備えており、
前記表示制御手段が、前記外部への投影に対応する画像信号を前記プロジェクタに対して供給することを特徴とする携帯電話。
【請求項３】
前記ディスプレイの光源と前記プロジェクタの光源を共用するとともに、この共用光源の光量を、前記表示制御手段により投影形態に対応して制御することを特徴とする請求項２記載の携帯電話。
【請求項４】
画像を表示するためのディスプレイと、このディスプレイに表示用データに基づいて画像信号を供給する表示制御手段を備えた携帯電話において、
前記ディスプレイに重ねて着脱自在に取り付けられ、前記ディスプレイに表示される画像を外部に投影するためのプロジェクタユニットを備えており、
このプロジェクタユニットが取り付けられたときは、前記表示制御手段が、前記外部への投影に対応する画像信号を前記ディスプレイに供給するとともに、前記ディスプレイの光源の光量を投影形態に対応して制御することを特徴とする携帯電話。
【請求項５】
前記携帯電話本体に、位置調整可能なスクリーン板を設けたことを特徴とする請求項１〜４のいずれかに記載の携帯電話。
【請求項６】
前記スクリーン板を、携帯電話本体に対して着脱自在としたことを特徴とする請求項５記載の携帯電話。
【発明の詳細な説明】
【技術分野】
【０００１】
本発明は、携帯電話（ＰＨＳも含む）に関し、更に具体的には、プロジェクタを搭載する携帯電話に関するものである。
【背景技術】
【０００２】
下記特許文献１に開示されているように、携帯電話にプロジェクタを搭載したものが提案されている。これは、携帯電話のディスプレイに表示されている情報を多数人で見ることを目的としたもので、メモリに保存された情報を表示板に表示するとともに、この表示板に光源をあて、拡大レンズを介してスクリーン板に投射するようにしたものである。
【特許文献１】特開２００２−２７０６０
【発明の開示】
【発明が解決しようとする課題】
【０００３】
しかしながら、以上のような背景技術では、プロジェクタを搭載するために携帯電話が大型化し、必ずしも携帯に便利とはいえない。通常のディスプレイとプロジェクタの両方を備えることから、部品の無駄も多い。ディスプレイとプロジェクタの一方のみを使用する場合には、他方が無駄となる。
【０００４】
本発明は、以上の点に着目したもので、部品の無駄がなく、経済性，携帯性に優れた使い勝手のよい携帯電話を提供することを、その目的とするものである。
【課題を解決するための手段】
【０００５】
前記目的を達成するため、本発明は、画像を表示するためのディスプレイと、このディスプレイに表示用データに基づいて画像信号を供給する表示制御手段を備えた携帯電話において、携帯電話本体に着脱自在に設けられ、前記ディスプレイに表示される画像を外部に投影するためのプロジェクタを備えており、前記表示制御手段が、前記プロジェクタに対して画像信号を供給することを特徴とする。
【０００６】
他の発明は、画像を表示するためのディスプレイと、このディスプレイに表示用データに基づいて画像信号を供給する表示制御手段を備えた携帯電話において、前記ディスプレイと交換して携帯電話本体に着脱自在に取り付けられ、前記ディスプレイに表示される画像を外部に投影するためのプロジェクタを備えており、前記表示制御手段が、前記外部への投影に対応する画像信号を前記プロジェクタに対して供給することを特徴とする。
【０００７】
主要な形態の一つは、前記ディスプレイの光源と前記プロジェクタの光源を共用するとともに、この共用光源の光量を、前記表示制御手段により投影形態に対応して制御することを特徴とする。
【０００８】
更に他の発明は、画像を表示するためのディスプレイと、このディスプレイに表示用データに基づいて画像信号を供給する表示制御手段を備えた携帯電話において、前記ディスプレイに重ねて着脱自在に取り付けられ、前記ディスプレイに表示される画像を外部に投影するためのプロジェクタユニットを備えており、このプロジェクタユニットが取り付けられたときは、前記表示制御手段が、前記外部への投影に対応する画像信号を前記ディスプレイに供給するとともに、前記ディスプレイの光源の光量を投影形態に対応して制御することを特徴とする。
【０００９】
他の形態の一つは、前記携帯電話本体に、位置調整可能なスクリーン板を設けたことを特徴とする。更に他の形態の一つは、前記スクリーン板を、携帯電話本体に対して着脱自在としたことを特徴とする。本発明の前記及び他の目的，特徴，利点は、以下の詳細な説明及び添付図面から明瞭になろう。
【発明の効果】
【００１０】
本発明によれば、携帯電話にプロジェクタを着脱可能としたので、必要に応じてプロジェクタを携行すればよく、携帯性に優れている。また、ディスプレイとプロジェクタの光源を共用することで経済性も向上する。
【発明を実施するための最良の形態】
【００１１】
以下、本発明を実施するための最良の形態を、実施例に基づいて詳細に説明する。
【実施例１】
【００１２】
最初に、実施例１について説明する。携帯電話は、例えば図１(A)に示すような基本構造となっており、本体１０の上部１０Ａにはディスプレイ１２，スピーカ１４が設けられており、本体１０の下部１０Ｂにはキー入力部１６，マイクロホン１８，アンテナ２０，外部接続端子２２が設けられている。他に、充電用端子，イヤホーン端子などが必要に応じて設けられている。本体１０の上部１０Ａと下部１０Ｂは、回転軸１０Ｃを中心として回転可能となっており、折りたたむことができるようになっている。
【００１３】
実施例１は、図１(B)に示すように、プロジェクタ３０を本体下部１０Ｂの外部接続端子２２に接続するようにしたものである。図２(A)には、実施例１の電気的な構成が示されており、上述したディスプレイ１２は、ＣＰＵ５０に表示制御部５２を介して接続されている。ＣＰＵ５０には、記憶部５４，通信処理部５６が接続されており、通信処理部５６には、スピーカ１４，マイクロホン１８，アンテナ２０が接続されている。電源５８からは、各部に必要な駆動用の電力が供給されている。そして、上述したプロジェクタ３０は、外部接続端子２２を介して表示制御部５２に接続されている。
【００１４】
次に、全体の動作を説明すると、通常の通話は、アンテナ２０，通信処理部５６，スピーカ１４，マイクロホン１８によって行われる。すなわち、アンテナ２０で受信した電波は、通信処理部５６で復調，Ｄ／Ａ変換などの信号処理を受け、音声信号が取り出されてスピーカ１４に供給される。これにより、通信相手の音声がスピーカ１４から出力されることになる。一方，通話者の音声は、マイクロホン１８で音声信号に変換されて通信処理部５６に供給され、通信処理部５６によるＡ／Ｄ変換，変調などの信号処理を受け、アンテナ２０から電波として出力される。また、受信信号に含まれる表示用データは、表示制御部５２に送られ、ディスプレイ１２に画像信号が供給されて画像が表示される。電話番号などの入力は、キー入力部１６によって行われ、電話帳などのデータは記憶部５４に記憶される。
【００１５】
ところで、この実施例１においては、プロジェクタ３０を外部接続端子２２に接続すると、表示制御部５２により、ディスプレイ１２の代わりに（あるいはディスプレイ１２とともに）プロジェクタ３０に表示用データが出力され、プロジェクタ３０によって適宜のスクリーン（図示せず）上にテキスト，写真，絵などの画像が表示される。このとき、表示制御部５２によってディスプレイ１２に供給される画像信号と、プロジェクタ３０に供給される画像信号は、必ずしも一致せず、必要に応じて画像が反転（上下反転あるいは左右反転，もしくは上下左右反転）した信号となるように、表示制御部５２による処理が行われる。このように、必要に応じてプロジェクタ３０を携帯電話に取り付ければよいので、通常の携帯電話のみを携行することが可能となる。
【実施例２】
【００１６】
次に、実施例２について説明する。なお、上述した実施例１と同一ないし対応する構成要素には同一の符号を用いることとする（以下の実施例についても同様）。
【００１７】
図１(C)には、実施例２の外観が示されており、本体上部１０Ａの主面に端子枠６０が設けられている。そして、この端子枠６０に対して、ディスプレイ６２とプロジェクタ６４がいずれも着脱自在となっている。図２(B)には電気的な構成の主要部が示されており、端子枠６０は表示制御部６６に接続されている。端子枠６０にディスプレイ６２を取り付けると、表示制御部６６から画像信号がディスプレイ６２に供給されて画像が表示される。一方、端子枠６０にプロジェクタ６４が取り付けられると、表示制御部６６から画像信号がプロジェクタ６４に供給されて画像がスクリーン（図示せず）上に投影表示される。なお、表示制御部６６によって画像が反転するように、ディスプレイ６２及びプロジェクタ６４に画像信号が供給される点は、前記実施例１と同様である。この実施例２によれば、ディスプレイ６２とプロジェクタ６４のうち必要なものを端子枠６０に取り付けて携行することができる。
【００１８】
なお、ディスプレイ６２の場合はバックライトを使用し、プロジェクタ６４の場合は投影用光源を使用する。そこで、バックライトと投影用光源を共用するようにしてもよい。図３(A)及び(B)にはその様子が示されている。まず、端子枠６０にディスプレイ６２を取り付けたときは、同図(A)に示すように、ＬＥＤなどによって構成された共通光源６８の光が、ディスプレイ６２の導光板６２Ａに入射するとともに、散乱板６２Ｂで散乱されて液晶パネルなどの光変調パネル６２Ｃに入射する。光は、光変調パネル６２Ｃで画像信号に対応して変調を受け、これによって所定の画像が光変調パネル６２Ｃに表示されるようになる。一方、端子枠６０にプロジェクタ６４を取り付けたときは、同図(B)に示すように、共通光源６８の光が集光レンズ６４Ａで集光されて光変調パネル６４Ｂに入射する。光は、光変調パネル６４Ｂによって変調を受け、投影レンズ６４Ｃによってスクリーン（図示せず）上に投影される。このような共通光源６８を使用する場合、表示制御部６６により、ディスプレイ６２の場合は共通光源６８の光強度を下げ、プロジェクタ６４の場合は共通光源６８の光強度を上げるような光強度制御を行うと好都合である。
【実施例３】
【００１９】
次に、実施例３について説明する。実施例３は、図１(D)，図２(C)に示すように、本体上部１０Ａに固定されたディスプレイ１２の上に、プロジェクタユニット７０を取り付けるようにしたもので、ディスプレイ１２とプロジェクタユニット７０とによってプロジェクタを構成している。
【００２０】
プロジェクタユニット７０を取り付けないときは、図１(A)の通常の携帯電話と同様である。プロジェクタユニット７０を取り付けると、図３(C)に示すようになる。すなわち、共通光源６８から出力された光は、導光板１２Ａに入射するとともに、散乱板１２Ｂで散乱されて光変調パネル１２Ｃに入射する。光は、光変調パネル１２Ｃで画像信号に対応して変調を受けた後、プロジェクタユニット７０によってスクリーン（図示せず）上に画像が投影される。
【００２１】
この場合も、表示制御部６６により、ディスプレイ１２の場合は共通光源６８の光強度を下げ、プロジェクタユニット７０を取り付けた場合は共通光源６８の光強度を上げるような光強度制御を行うと好都合である。また、プロジェクタユニット７０による画像反転に対応して、光変調パネル１２Ｃに表示される画像が表示制御部６６により反転表示される。
【実施例４】
【００２２】
次に、実施例４について説明する。上述した実施例は、プロジェクタの画像を壁や紙などをスクリーンとして投影したが、状況によっては適当なスクリーンがない場合もある。そこで、実施例４では、簡易なスクリーンを設けるようにした。
【００２３】
図４(A)に基本的な構造が示されており、携帯電話本体１０の上部１０Ａにはプロジェクタ１００が取り付けられている。なお、プロジェクタ１００は、上述した実施例１〜３のいずれのタイプであってもよい。本体１０の回転軸１０Ｃの両端には、一対の伸縮可能な腕１０２が回転可能に延長形成されており、これら腕１０２の先端にスクリーン板１０４が回転軸１０６を中心に回転可能に設けられている。すなわち、腕１０２は伸縮可能であるとともに携帯電話本体１０に対して回転し、スクリーン板１０４は腕１０２に対して回転する。
【００２４】
このため、図４(A)に示すように、プロジェクタ１００の正面にスクリーン板１０４を配置することで、このスクリーン板１０４に画像が投影される。腕１０２は矢印Ｆ１方向に回転可能かつ矢印Ｆ２方向に伸縮可能であり、スクリーン板１０４は矢印Ｆ３方向に回転可能であるので、これらの動きを利用してスクリーン板１０４の位置を調整することができる。なお、スクリーン板１０４の画像は、その表裏いずれの側から見るようにしてもよく、これに対応して表示制御部による信号反転処理を行うようにする。
【００２５】
スクリーン板１０４を使用せず、壁などに画像を投影するときは、図４(B)に示すように、本体下部１０Ｂのキー入力側にスクリーン板１０４を位置させるようにする。あるいは、図４(C)に示すように、本体上部１０Ａと下部１０Ｂを曲折し、スクリーン板１０４を後ろ側に配置することで、スクリーン板１０４で携帯電話本体１０の姿勢を支えながら、プロジェクタ１００で壁などに画像を投影することもできる。
【００２６】
携帯電話本体１０の上部１０Ａと下部１０Ｂを折りたたむときは、例えば図４(D)に示すように、プロジェクタ１００を取り外すとともに、上部１０Ａと下部１０Ｂの間にスクリーン板１０４を挟むようにする。同図(E)の例は、プロジェクタ１００が上部１０Ａの背面側に設けられた場合で、上部１０Ａ及び下部１０Ｂは通常通り折りたたみ、スクリーン板１０４を下部１０Ｂの背面側に配置した例である。
【実施例５】
【００２７】
次に、実施例５について説明する。この例は、スクリーン板１０４を着脱自在としたものである。図５(A)に示すように、腕１０２は、矢印ＦＡで示すように幅が拡縮可能な一対の把持部１１０に対して回転可能に取り付けられている。携帯電話本体１０は、この把持部１１０内に挿入され（点線参照）、把持部１１０を閉じることによって、腕１０２そしてスクリーン板１０４が本体１０に取り付けられる。図５(B)には、使用時の様子が示されており、把持部１１０は矢印ＦＢで示すように本体１０に対して移動可能であり、腕１０２は矢印ＦＣ方向に回転可能かつ矢印ＦＤ方向に伸縮可能であり、スクリーン板１０４は矢印ＦＥ方向に回転可能であるので、これらの動きを利用してスクリーン板１０４の位置を調整する。
【００２８】
なお、本発明は、上述した実施例に限定されるものではなく、本発明の要旨を逸脱しない範囲内において種々変更を加えることができる。例えば、以下のものも含まれる。
(1)携帯電話は、カメラを備えたものであってもよいし、プロジェクタに加えてカメラを取り付けるようにしてもよい。すなわち、ディスプレイ，プロジェクタ，カメラは、必要に応じていずれか一つもしくは複数を取り付けるようにしてよい。
(2)前記実施例で示した携帯電話，その電気的構成，ディスプレイのバックライトの構成などに限定されるものではなく、公知の各種の構成を適用してよい。なお、携帯電話といっても多様な機種があるが、それらのいずれにも共通してディスプレイやプロジェクタなどの部品を使用することができるように、規格を統一すると好都合である。そうすると、例えば機種変更を行ったときに、変更前の機種で使用したプロジェクタを変更後の機種でも使用することができる。
(3)前記実施例は、いずれも折りたたみタイプの携帯電話に本発明を適用したものであるが、いずれのタイプの携帯電話にも適用可能である。ＰＤＦ（携帯情報機器）などにも適用してよい。
(4)プロジェクタやプロジェクタユニットにおけるレンズなどの光学素子の構成も任意であり、所要の作用を奏する構成であれば、どのようなものであってもよい。
【産業上の利用可能性】
【００２９】
本発明によれば、外出先で携帯電話のディスプレイに表示される画像を外部に簡便に投影表示することができるので、携帯型の簡便なプロジェクタとしての用途に好適である。
【図面の簡単な説明】
【００３０】
【図１】本発明の実施例１〜３におけるプロジェクタの取り付け形態を示す図である。
【図２】実施例１〜３における電気的構成の主要部を示すブロック図である。
【図３】実施例２及び３におけるディスプレイ及びプロジェクタの主要部を示す図である。
【図４】実施例４の主要部を示す図である。
【図５】実施例５の主要部を示す図である。
【符号の説明】
【００３１】
１０：本体
１０Ａ：上部
１０Ｂ：下部
１０Ｃ：回転軸
１２：ディスプレイ
１２Ａ：導光板
１２Ｂ：散乱板
１２Ｃ：光変調パネル
１４：スピーカ
１６：キー入力部
１８：マイクロホン
２０：アンテナ
２２：外部接続端子
３０：プロジェクタ
５０：ＣＰＵ
５２：表示制御部
５４：記憶部
５６：通信処理部
５８：電源
６０：端子枠
６２：ディスプレイ
６２Ａ：導光板
６２Ｂ：散乱板
６２Ｃ：光変調パネル
６４：プロジェクタ
６４Ａ：集光レンズ
６４Ｂ：光変調パネル
６４Ｃ：投影レンズ
６６：表示制御部
６８：共通光源
７０：プロジェクタユニット
１００：プロジェクタ
１０２：腕
１０４：スクリーン板
１０６：回転軸
１１０：把持部
【図１】
2005051600.tif 000003
【図２】
2005051600.tif 000004
【図３】
2005051600.tif 000005
【図４】
2005051600.tif 000006
【図５】
2005051600.tif 000007